(57)【特許請求の範囲】
【請求項１】
胴部四方に側面板を連続させて略角柱形状の箱とされた台座部とこの台座部の隣り合う一組の前記側面板それぞれから延設した延設部分を貼り合わせて台座部の長手方向に沿って位置する貼り合わせ部とからなる台紙本体と、前記台紙本体に取り付けられていて、熱収縮により被包装物を保持するシュリンクフィルム筒体とを備えたシュリンクフィルム付き台紙であって、
前記台紙本体は、前記台座部の両端部それぞれからなり内部が空所された緩衝部を有するとともに、この緩衝部の間であり前記台座部の少なくとも二面の側面板に亘る座面板を台座部内に折り込んで台座部外表面側が開放されている商品収容用凹部を有し、
前記商品収容用凹部における座面板に前記シュリンクフィルム筒体が貼り付けられていて、
前記シュリンクフィルム筒体は、緩衝部が対向する方向での前記底面板の長さより短かくされて、前記緩衝部とシュリンクフィルム筒体との間に隙間が形成されており、
熱収縮したシュリンクフィルム筒体にて保持される被包装物が前記二つの緩衝部の間に配置される構成としたことを特徴とするシュリンクフィルム付き台紙。
【請求項２】
上記緩衝部それぞれは上記貼り合わせ部に連接されている請求項１に記載のシュリンクフィルム付き台紙。
【発明の詳細な説明】
【技術分野】
【０００１】
本発明は、熱収縮することで被包装物を包み込むシュリンクフィルム筒体が取り付けられている台紙に関するものである。
【背景技術】
【０００２】
従来、小物の商品を展示販売する際に用いる台紙において、熱を加えることで熱収縮して被包装物を包み込んで保持するシュリンクフィルム筒体とこのシュリンクフィルム筒体が取り付けられた台紙本体とを備えるシュリンクフィルム付き台紙が多く利用されている。
【０００３】
特許文献１では、箱状とした台紙本体とこの台紙本体の一面の側面板の内面に筒状などとしたシュリンクフィルムとからなる台紙が示されている。そしてこの特許文献１においては、熱収縮したシュリンクフィルムで保持される被包装物を台紙本体の他の面板から離れた状態にして、台紙本体の内部に配置させるようにした例が示されている。
【先行技術文献】
【特許文献】
【０００４】
【特許文献１】特開２０１５−１６８４４８号公報
【発明の概要】
【発明が解決しようとする課題】
【０００５】
しかしながら上記特許文献１は、シュリンクフィルムで保持された被包装物の全体を箱状の台紙本体で覆う包装形態であり、被包装物自体の外観や色合いなどに工夫を凝らしていても一般消費者へのアイキャッチ効果が低いという問題がある。
【０００６】
一方、商品を熱収縮したシュリンクフィルムで保持して台紙の前面に配置している包装形態のものが多く流通しており、一般小売店舗などでは消費者側から商品が見易く、アイキャッチ効果が高い包装形態となっている。
【０００７】
しかしながら、台紙の前面に商品を配置している包装形態では、商品である被包装物のほぼ全体が露出した状態となっており、シュリンクフィルムで覆われてはいるものの、他物との衝突や落下によって被包装物が傷付き易いという不具合がある。
【０００８】
そこで本発明は上記事情に鑑み、商品を台紙で保護する部分を有しながら商品を直接的に視認できるようにすることを課題とし、アイキャッチ効果が高められるシュリンクフィルム付き台紙を得ることを目的とするものである。
【課題を解決するための手段】
【０００９】
（請求項１の発明）
本発明は上記課題を考慮してなされたもので、胴部四方に側面板を連続させて略角柱形状の箱とされた台座部とこの台座部の隣り合う一組の前記側面板それぞれから延設した延設部分を貼り合わせて台座部の長手方向に沿って位置する貼り合わせ部とからなる台紙本体と、前記台紙本体に取り付けられていて、熱収縮により被包装物を保持するシュリンクフィルム筒体とを備えたシュリンクフィルム付き台紙であって、
前記台紙本体は、前記台座部の両端部それぞれからなり内部が空所された緩衝部を有するとともに、この緩衝部の間であり前記台座部の少なくとも二面の側面板に亘る座面板を台座部内に折り込んで台座部外表面側が開放されている商品収容用凹部を有し、
前記商品収容用凹部における座面板に前記シュリンクフィルム筒体が貼り付けられていて、
前記シュリンクフィルム筒体は、緩衝部が対向する方向での前記底面板の長さより短かくされて、前記緩衝部とシュリンクフィルム筒体との間に隙間が形成されており、
熱収縮したシュリンクフィルム筒体にて保持される被包装物が前記二つの緩衝部の間に配置される構成としたことを特徴とするシュリンクフィルム付き台紙を提供して、上記課題を解消するものである。
【００１０】
（請求項２の発明）
そして、本発明において、上記緩衝部それぞれは上記貼り合わせ部に連接されているものとすることが良好である。
【発明の効果】
【００１１】
本発明によれば、略角柱形状の箱とされた台座部の一部を台座部内に折り込んで商品収容用凹部を有し、その商品収容用凹部にある座面板にシュリンクフィルム筒体が貼り付けられているので、このシュリンクフィルム筒体に保持される被包装物は直接外方から視認できるようになり、被収納物の外観や色合いを活かしてアイキャッチ効果を高めることができるという効果を奏する。
【００１２】
さらにシュリンクフィルム筒体に保持される被包装物が緩衝部の間に配置されることとなり、被包装物が保持されているシュリンクフィルム付き台紙を落下させたり、他物に当接させたときに際して緩衝部が衝撃を吸収することで、被包装物に直接的に外力が加わらないようにして保護することができる。
【図面の簡単な説明】
【００１３】
【図１】本発明に係るシュリンクフィルム付き台紙の第一の実施例を台紙本体の展開状態で示す説明図である。
【図２】第一の実施例における使用状態を示す説明図である。
【図３】第一の実施例を図２Ａ−Ａ線に沿った断面で示す説明図である。
【図４】第二の実施例を台紙本体の展開状態で示す説明図である。
【図５】第二の実施例における使用状態を示す説明図である。
【図６】第二の実施例を図５Ｂ−Ｂ線に沿った断面で示す説明図である。
【発明を実施するための形態】
【００１４】
つぎに本発明を図示の実施の形態に基づいて詳細に説明する。図中１は本発明のシュリンクフィルム付き台紙１で、該シュリンクフィルム付き台紙１は、一枚の紙製のシート材を折り合わせて貼り合わせてなる台紙本体２と、熱を加えることで熱収縮して内部に収容した被包装物を包み込んで保持することができるようにしたシュリンクフィルム筒体３とを備えているものである。
【００１５】
（第一の実施例）
図１から図３とは第一の実施例に係る図である。第一の実施例における台紙本体２は、図２に示されているように略角柱形状の箱とされた台座部４とこの台座部４の胴部回りにおける一辺となる部分に連続して台座部４と一体となっている貼り合わせ部５とからなるものである。
【００１６】
（台座部）
台座部４は、胴部四方に上側面板６と前側面板７と下側面板８と後側面板９を連続させることで胴部１０を上述のように略角柱形状としている。
【００１７】
（貼り合わせ部）
貼り合わせ部５は、上記台座部４での上側面板６の後側面板９側の辺から延設された延長板１１と、前記後側面板９の上側面板６側の辺から延設された延長板１２とを貼り合わせてなるものであり、これにより台座部４と貼り合わせ部５とは一体とされ、台座部４の長手方向の長さと貼り合わせ部５での台座部４に沿った方向の長さとが同一とされている。なお、延長板１１と延長板１２とは貼り合わされているが、図３において貼り合わせ部５の構造を説明し易くするために、延長板１１と延長板１２とを離間した状態で図示している。後述の図６においても同様である。
【００１８】
上記台座部４の長手方向に相対する端部１５それぞれにあっては、胴部１０を構成する前記面板の側辺に連接の複数の閉鎖構成板１４によって閉じていて、閉鎖構成板１４それぞれの形状や閉鎖構成板１４による閉鎖形態は限定されているものではない。
【００１９】
なお、閉鎖形態に関して図示のものにあっては、一方の端部１５において、前、後側面板７，９に連接のフラップを倒してから、その外側から上側面板６に連接されて差し込み片を有する蓋フラップを重ねて、差し込み片を胴部１０内に挿し入れる（キャラメル式）ようにして閉鎖している。他方の端部１５においては、上側面板６に連接の門型フラップを倒した上に、前、後側面板７，９に連接の受けフラップを重ね、下側面板８に連接された差し込みフラップの先端を、前記門型フラップと受けフラップとで構成したスリットに挿し入れること（地獄底）で閉鎖している。いずれも公知の閉鎖形態である。（図１参照）
【００２０】
（商品収納用凹部）
さらに台座部４には、この台座部４の両端部１５側を含めない部分、即ち、上述したキャラメル式にて閉じた端部１５側と地獄底にて閉じた端部１５側とを除く範囲に、台座部外表面側を開放した商品収納用凹部１６が設けられている。
【００２１】
この実施例における商品収納用凹部１６は、上記上側面板６と前側面板７との連続する二面の側面板に亘る一部分を胴部１０の内方に向けて折り込むことで形成された部分であり、上側面板６と前側面板７との二面に亘っていて、その上側面板６と前側面板７とに胴部回り方向にして入れられた切り込み１７と胴部１０の長手方向に沿って位置する折り罫部１８とで囲まれている座面板１９を胴部１０の内方に向けて折り込むことで、前記商品収納用凹部１６を設けている。
【００２２】
座面板１９を折り込む前の形態が台紙本体２を展開した状態としている図１に示されていて、図示されているように切り込み１７は、端部１５それぞれに寄った位置にしていて、上側面板６における貼り合わせ部５側の辺から前側面板７との間の辺の位置を経てその前側面板７の中央位置（側面板連接方向における前側面板の中央位置）までの範囲に入れられている。
【００２３】
また、対となる折り罫部１８の一方は、上側面板６の貼り合わせ部５側の辺から、上側面板６と前側面板７との間の辺位置と前側面板７での上記切り込み１７の端部位置までの長さに相当する長さで上側面板６の中央側に寄った位置にして、切り込み１７の間に亘って位置している。そして折り罫部１８の他方は、前側面板７における前記切り込み１７の端部の間に亘って位置している。
【００２４】
（緩衝効果）
この実施の例においては、台座部４の上記座面板１９を折り込むことで形成されている商品収納用凹部１６は、底側面板９までには達しておらず、底側面板９と座面板１９とが離間しており、この間を空所として緩衝効果を有する部分としている。（図３参照）
【００２５】
さらに台座部４の両端部１５もそれぞれ内部が空所されていて端部１５を緩衝部２０としており、上記商品収納用凹部１６の両側に緩衝部２０を有している。
【００２６】
上記商品収納用凹部１６にあっては、台座部４の内方に位置した座面板１９に上記シュリンクフィルム筒体３が貼着されていて、シュリンクフィルム筒体３の長手方向を台座部４の長手方向に揃えている。そして、図１に示すように前記シュリンクフィルム筒体３は、緩衝部２０が対向する方向での前記底面板１９の長さより短かくされていて、緩衝部２０とシュリンクフィルム筒体３との間それぞれに隙間が形成されるようにしている。なお、説明を容易にするために不図示としている被包装物が熱収縮したシュリンクフィルム筒体３に包み込まれた状態でこの商品収納用凹部１６に配置される。また、前記シュリンクフィルム筒体３の座面板１９に対する貼着部分は帯状としている。
【００２７】
上述したように商品収納用凹部１６では台座部外表面側が開放されているので、この商品収納用凹部１６にシュリンクフィルム筒体３で包み込まれて保持された状態で取り付けられている被包装物に対するアイキャッチ効果が向上する。
【００２８】
また被包装物が上記二つの緩衝部２０の間に配置される状態となるため、被包装物を取り付けたシュリンクフィルム付き台紙１を誤って落下させたり他物にぶつけるなどした場合でも、緩衝部２０が衝撃を吸収することで被包装物に衝撃が直接的に加わるのを抑えて保護することができる。
【００２９】
（立て方）
なお、上記実施例において台座部４を構成する胴回りに連続する四方の側面板を、上側面板６と前側面板７と下側面板８と後側面板９として説明したが、下側面板８を棚などの平面に接しさせる面として台座部４が横置きされる形態に限定されるものではない。例えば、地獄底の形式で閉じた端部１５が下面となるように台座部４を立てた状態で使用することも可能である。
【００３０】
（第二の実施例）
図４から図６は第二の実施例を示している。第二の実施例におけるシュリンクフィルム付き台紙１も、第一の実施例と同じように台紙本体２が、略角柱形状の箱とされた台座部４とこの台座部４の胴部１０の一辺に連続する貼り合わせ部５とからなり、台座部４にシュリンクフィルム筒体３が取り付けられている。また、台座部４の端部１５においても一方がキャラメル式にて閉じられ、他方が地獄底として閉じられている点も第一の実施例と同じである。（図４参照）
【００３１】
そして、第一の実施例にあっては台座部４の上側面板６から前側面板７に亘る一部分を台座部４の内方に折り入れて商品収納用凹部１６を形成しているが、この第二の実施例にあっては、台座部４の上側面板６と前側面板７と下側面板８との三面に亘る一部分を台座部４の内方に折り入れて商品収納用凹部１６を形成している点で相違している。
【００３２】
（商品収納用凹部）
上述したように第二の実施例における商品収納用凹部１６は、台座部４の上側面板６と前側面板７と下側面板８との連続する三面の側面板に亘る一部分を胴部１０の内方に向けて折り込むことで形成されていて、上側面板６と前側面板７と下側面板８との三面に亘るように胴部回り方向にして入れられた切り込み１７と胴部１０の長手方向に沿って位置する折り罫部１８とで座面板１９を囲んで形成し、この座面板１９を胴部１０の内方に向けて折り込むことで、前記商品収納用凹部１６を設けている。（図５参照）
【００３３】
台紙本体２を展開状態とした図４に示すように上記切り込み１７は、台座部４の端部１５それぞれに寄った位置にある。そして上側面板６における貼り合わせ部５側の辺から前側面板７側の辺まででの中央位置（上側面板６の胴回り方向での中央位置）を一端とするとともに、下側面板８における前側面板７側の辺から後側面板９側の辺まででの中央位置（下側面板８の胴回り方向での中央位置）を他端として、この範囲に入れられている。
【００３４】
対となる折り罫部１８の一方は、上側面板６での切り込み１７の端部の間に亘って位置し、折り罫部１８の他方は、下側面板８における切り込み１７の端部の間に亘って位置している。また、第二の実施例では、切り込み１７と折り罫部１８とで囲まれた座面板１９を胴部１０の内方に向けて折り込みし易いように、上側面板６と前側面板７との間の辺の延長線上となる位置と、前側面板７と下側面板８との間の辺の延長線上となる位置とに補助折り罫部２１が設けられている
【００３５】
さらに折り罫部１８と補助折り罫部２１との間にも補助折り罫部２２が設けられており、これら折り罫部１８と補助折り罫部２１、２２との位置で折れを生じさせながら座面板１９を胴部１０の内方に折り込むことで商品収納用凹部１６が得られていて、この第二の実施例では、前記商品収納用凹部１６が後側面板９と接した状態となるように設けられている。（図６参照）
【００３６】
（緩衝効果）
第二の実施例でも台座部４の両端部１５それぞれを内部が空所の緩衝部２０としており、商品収納用凹部１６の両側に緩衝部２０を有している。
【００３７】
商品収納用凹部１６では、座面板１９における上記後側面板９に対応する部分に上記シュリンクフィルム筒体３が貼着され、このシュリンクフィルム筒体３の長手方向を台座部４の長手方向に揃えている。そして、不図示の被包装物が熱収縮したシュリンクフィルム筒体３に包み込まれた状態でこの商品収納用凹部１６に配置される。なお、シュリンクフィルム筒体３の座面板１９に対する貼着部分は帯状としている。
【００３８】
第一の実施例と同様に商品収納用凹部１６は台座部外表面側が開放されていて、この商品収納用凹部１６にシュリンクフィルム筒体３で包み込まれて保持された状態で取り付けられている被包装物を簡単に視認することができ、この被包装物に対するアイキャッチ効果が向上する。
【００３９】
そして被包装物が二つの緩衝部２０の間に配置される状態となることによる効果も上記第一の実施例と同様である。
【００４０】
（立て方）
第二の実施例においても台座部４の四方の側面板を、上側面板６と前側面板７と下側面板８と後側面板９としているが、下側面板８を下面として台座部４が横置きされる形態に限定されるものではない。特にこの第二の実施例では台座部４の三方の面に及ぶ範囲で開放された状態となっているので、地獄底の形式で閉じた端部１５が下面となるように台座部４を立てた状態で使用することがアイキャッチ効果を高める上で有効である。
【００４１】
なお、上記第一、第二の実施例では、対の緩衝部２０が角柱形状の台座部４の一部分のブロック体として被包装物に近接した状態で位置することから、被包装物が箱入れされた雰囲気を醸し出す上で効果がある。さらにこの緩衝部２０それぞれは、貼り合わせで剛性が高くなっている貼り合わせ部５に連接されているので、緩衝部２０が単体で振動やブレを起こすことがなく、被包装物が箱入れされた雰囲気を安定的に醸し出させる上で有効である。
【符号の説明】
【００４２】
１…シュリンクフィルム付き台紙
２…台紙本体
３…シュリンクフィルム筒体
４…台座部
５…貼り合わせ部
６…上側面板
７…前側面板
８…下側面板
９…後側面板
１０…胴部
１１、１２…延長板
１２…延長板
１４…閉鎖構成板
１５…台座部の端部
１６…商品収納用凹部
２０…緩衝部
【図１】
0006724456.tif 000002
【図２】
0006724456.tif 000003
【図３】
0006724456.tif 000004
【図４】
0006724456.tif 000005
【図５】
0006724456.tif 000006
【図６】
0006724456.tif 000007